(57)【要約】【課題】マークシートの認識結果の確認および修正を効率良く且つ精度良く行うこと【解決手段】確認修正対象として選択された設問番号の解答欄の拡大イメージを表示する手段１９と、前記選択された設問番号の認識結果を示す認識結果マークを表示する手段２１とを備え、前記認識結果マーク表示手段２１が、マークの認識が正確に行われている場合には、拡大イメージデータにおけるマークの塗りつぶし部分の直上に前記認識結果マーク３００を表示し、無解答あるいは複数解答と認識した場合には、拡大イメージデータにおける設問番号欄の直上に前記認識結果マーク３００を表示する。【選択図】  図１
2005032003.tif 000002
【特許請求の範囲】
【請求項１】
確認修正対象として選択された設問番号の解答欄の拡大イメージを表示する手段と、前記選択された設問番号の認識結果を示す認識結果マークを表示する手段と、を備え、
前記認識結果マーク表示手段は、マークの認識が正確に行われている場合には、拡大イメージデータにおけるマークの塗りつぶし部分の直上に前記認識結果マークを表示し、無解答あるいは複数解答と認識した場合には、拡大イメージデータにおける設問番号欄の直上に前記認識結果マークを表示することを特徴とするマークシート認識結果の確認修正システム。
【請求項２】
確認修正対象として選択された設問番号の解答欄の拡大イメージを表示すると共に、前記選択された設問番号の認識結果を示す認識結果マークを、マークの認識が正確に行われている場合には、拡大イメージデータにおけるマークの塗りつぶし部分の直上に前記認識結果マークを表示し、無解答あるいは複数解答と認識した場合には、拡大イメージデータにおける設問番号欄の直上に前記認識結果マークを表示することを特徴とするマークシート認識結果の確認修正方法。
【発明の詳細な説明】
【０００１】
【発明の属する技術分野】
本発明は、ＯＣＲ装置でマークシート上のマークの有無について認識できるか否かを判定して得られたマークシートの認識結果について、確認ならびに修正を行うためのマークシート認識結果の確認修正システムならびに確認修正方法に関するものである。
【０００２】
【従来の技術】
従来、マークシートの認識結果についての確認修正方法は、例えば次の先行技術文献に開示されている。
【０００３】
【特許文献１】
特開２０００−２７６５５５号公報
【０００４】
【発明が解決しようとする課題】
しかしながら、上記先行技術文献に開示されている従来技術によると、ＯＣＲ装置によるマークシートの読み取り後の認識結果を確認する場合、設問ごとに確認処理を行うのではなく、認識不可能であった各マーク記入部分ごとに行うこととなるので、認識結果の精度を上げるために全設問についてマークシートの認識結果の確認を正確に行う場合には、認識不可能であった各マーク記入部分の確認を行うことに加えて、複数解答や無解答などがあるか否かを設問単位で確認する必要があり、結局は設問単位で確認処理を行わなければならなかった。つまり、従来技術では、マークシート認識結果の確認修正処理の効率化および高精度化という点で改善すべき余地が多分にあった。
【０００５】
そこで、本発明の目的は、マークシートの認識結果を設問単位で確認および修正することで、マークシート認識結果の確認修正処理をより効率良く且つ精度良く行うことができるマークシート認識結果の確認修正システムならびに確認修正方法を提供することにある。
【０００６】
【課題を解決するための手段】
上記目的を達成するために、本発明のマークシート認識結果の確認修正システムは、確認修正対象として選択された設問番号の解答欄の拡大イメージを表示する手段と、前記選択された設問番号の認識結果を示す認識結果マークを表示する手段とを備え、前記認識結果マーク表示手段が、マークの認識が正確に行われている場合には、拡大イメージデータにおけるマークの塗りつぶし部分の直上に前記認識結果マークを表示し、無解答あるいは複数解答と認識した場合には、拡大イメージデータにおける設問番号欄の直上に前記認識結果マークを表示するものである。
【０００７】
また、本発明のマークシート認識結果の確認修正方法は、確認修正対象として選択された設問番号の解答欄の拡大イメージを表示すると共に、前記選択された設問番号の認識結果を示す認識結果マークを、マークの認識が正確に行われている場合には、拡大イメージデータにおけるマークの塗りつぶし部分の直上に前記認識結果マークを表示し、無解答あるいは複数解答と認識した場合には、拡大イメージデータにおける設問番号欄の直上に前記認識結果マークを表示するものである。
【０００８】
【発明の実施の形態】
本発明の一実施形態に係るマークシート認識結果の確認修正システムならびに確認修正方法について、図面を参照して以下説明する。図１は、本発明の一実施形態であるマークシート認識結果の確認修正システム１０の構成を示す図である。
【０００９】
［確認修正システムの構成］
本実施形態のマークシート認識結果の確認修正システム１０は、マークシートの認識を行うＯＣＲ装置３０と、オペレーターがデータ入力や処理を行う際の指令の入力等を行うためのキーボードやマウス等の入力装置４０と、各種データを表示するモニタ等の表示装置５０の他に、イメージデータ格納部１１と、コードデータ格納部１２と、イメージ表示範囲情報格納部１３と、認識結果表示位置情報格納部１４と、表示ウィンドウデータ格納部１５と、確認修正対象データ処理部１６と、ウィンドウ画面表示部１７と、イメージデータ処理部１８と、イメージデータ表示部１９と、認識結果データ処理部２０と、認識結果データ表示部２１と、を具備している。以下、各部について説明する。
【００１０】
前記イメージデータ格納部１１は、ＯＣＲ装置３０により読み取られた各マークシートの解答欄全体のイメージデータを格納している。
【００１１】
前記コードデータ格納部１２は、図２のように、受験番号や受験者名毎に、各設問番号のマーク欄においてマークされている位置を全てコードデータとして格納している。ここで、このコードデータとは、マークされている場合を「１」，マークされていない場合を「０」としてなる連続した数字列である。具体的に説明すると、例えば四者択一の設問の場合に３番のマークをチェックしていると認識した場合には、コードデータは「００１０」となり、４番のマークをチェックしていると認識した場合には、コードデータは「０００１」となる。また、無解答と認識した場合には「００００」となり、１番と３番とをマークしている複数解答と認識した場合には「１０１０」となる。
【００１２】
前記イメージ表示範囲情報格納部１３は、各設問番号毎にマーク欄全体を表示する場合に、各マークシートにおける解答欄全体のイメージデータの内のどの範囲を拡大表示するかを定義したイメージ拡大範囲情報を、図３のように格納している。この拡大範囲情報によって、後述の如く、選択した設問番号の解答欄を拡大表示することができる。
【００１３】
前記認識結果表示位置情報格納部１４は、前記コードデータ格納部１２から取得したコードデータの種類毎に、マークされていると認識された番号を示す認識結果と、この認識結果を表示する位置を定義した認識結果表示位置情報とを、図４のように格納している。具体的には、コードデータ「００００」の場合は無解答と認識するため認識結果を「０」とし、コードデータ「１０００」の場合は１番がマークされていると認識するため認識結果を「１」としている。また、その他のコードデータの場合は複数解答と認識するため認識結果を「９」としている。尚、複数解答の場合の認識結果は必ずしも「９」とすることはない。
【００１４】
前記表示ウィンドウデータ格納部１５は、例えば図５のように確認修正対象のマークシートの一覧を表示するための一覧表示ウィンドウ画面データと、図６のように確認修正処理を行う際に表示する確認修正ウィンドウ画面データとを格納している。
【００１５】
前記確認修正対象データ処理部１６は、ＯＣＲ装置３０により読み取られた全マークシートの内、複数解答や無解答などのような読み取り状況が認識されているマークシートを確認修正対象マークシートとし、この確認修正対象マークシートに関連するデータ（受験番号等）を抽出する機能を有している。
【００１６】
前記ウィンドウ画面表示部１７は、前記表示ウィンドウデータ格納部１５から一覧表示ウィンドウ画面データと確認修正ウィンドウ画面データの何れかを選択して図５のように一覧表示する、あるいは図６のように確認修正ウィンドウ画面を表示する機能を有している。
【００１７】
前記イメージデータ処理部１８は、次に示す機能を有している。まず第一の機能として、ＯＣＲ装置３０により読み取られた各マークシートについて、前記イメージデータ格納部１１に、各マークシートの解答欄全体のイメージデータを格納する機能を有している。また第二の機能として、ＯＣＲ装置３０により読み取られた各マークシートについて、受験番号，受験者名，各設問番号のマーク欄においてマークされている番号を全てコードデータに変換して前記コードデータ格納部１２に格納する機能を有している。また第三の機能として、前記入力装置４０から入力された設問番号と、前記イメージ表示範囲情報格納部１３に格納済の前記イメージ拡大範囲情報とに基づいて、入力された設問番号の解答欄全体の拡大イメージデータを作成し、イメージデータ表示部１９に転送する機能を有している。
【００１８】
そして、前記イメージデータ表示部１９は、前記イメージデータ処理部１８より転送された拡大イメージデータを、確認修正ウィンドウ画面内の選択設問解答欄イメージ表示エリア２００に表示する機能を有している。
【００１９】
前記認識結果データ処理部２０は、次に示す機能を有している。まず第一の機能として、確認修正対象のマークシートにおける全設問のコードデータに基づいて得られた全設問の認識結果データを作成し、認識結果データ表示部２１に転送する機能を有している。また第二の機能として、前記入力装置４０から入力された設問番号に基づいて前記コードデータ格納部１２内から当該設問番号におけるコードデータを取得し、さらにこのコードデータに基づいて前記認識結果表示位置情報格納部１４から当該コードデータに対応する認識結果データと認識結果表示位置データとを取得し、この認識結果データと認識結果表示位置データとを認識結果データ表示部２１に転送する機能を有している。
【００２０】
そして、前記認識結果データ表示部２１は、前記認識結果データ処理部２０より全設問の認識結果データが転送された場合には、全設問の認識結果データを確認修正ウィンドウ画面内の全設問認識結果表示エリア１００に表示し、認識結果データおよび認識結果表示位置データが転送された場合には、選択設問解答欄イメージ表示エリア２００に、後述の認識結果マーク３００を表示する機能を有している。
【００２１】
［本システムにおける処理手順］
次に、以上のような構成の確認修正システム１０により行われるマークシートの認識結果の確認修正処理の手順について、図７を参照して以下説明する。図７は、本実施形態の確認修正システム１０により行われるマークシート認識結果の確認修正処理手順を示すフローチャートである。
【００２２】
まず、予め採点対象の全マークシートについてＯＣＲ装置３０の読み取り処理を行った状態でマークシートの確認修正処理の開始指令を入力装置４０より入力すると、確認修正対象データ処理部１６が、例えば複数解答や無解答などのような読み取り状況が認識されているマークシートを確認修正対象マークシートと判断して抽出する。そして、ウィンドウ画面表示部１７が表示ウィンドウデータ格納部１５から一覧表示ウィンドウ画面データを取得し、当該確認修正対象マークシートの受験番号等を、例えば図５のように表示装置５０に一覧表示する（ステップＳＴ１）。
【００２３】
次に、本システム１０のオペレーターは、一覧表示ウィンドウ画面上に表示された受験番号等の一覧から、１つの確認修正対象のマークシートを選択する（ステップＳＴ２）。
【００２４】
こうして１つの確認修正対象のマークシートが選択されると、続いてウィンドウ画面表示部１７が、表示ウィンドウデータ格納部１５から確認修正ウィンドウ画面データを取得し、表示装置５０に例えば図６のような構成の確認修正ウィンドウ画面を新たに表示する。ここで、この確認修正ウィンドウ画面内には、選択した確認修正対象マークシートにおける受験番号，受験者名を示す欄の他に、確認修正対象マークシートの全設問の認識結果を表示する全設問認識結果表示エリア１００と、確認修正する設問番号の解答欄全体の拡大イメージを表示する選択設問解答欄イメージ表示エリア２００とを有している。
【００２５】
そして、上述の確認修正ウィンドウ画面が表示されると、イメージデータ処理部１８が、受験番号等をキーに、コードデータ格納部１２から当該確認修正対象マークシートの全設問の認識結果データを取得し、且つこのコードデータに基づいて前記認識結果表示位置情報格納部１４から当該コードデータに対応する認識結果データを取得し、当該確認修正対象マークシートの全設問の認識結果を作成する。そして、得られた全設問の認識結果データをウィンドウ画面表示部１７に転送し、ウィンドウ画面表示部１７が、全設問認識結果表示エリア１００内に図６のように当該確認修正対象マークシートの全設問の認識結果を表示する（ステップＳＴ３）。尚、本実施形態では、全設問の認識結果の内、無解答や複数解答と認識された設問番号の欄が図６のように色付けされて表示されるものとする。
【００２６】
こうして全設問の認識結果が表示された画面上で、オペレーターが確認修正を行いたい設問の設問番号を選択すると（ステップＳＴ４）、イメージデータ処理部１８が、前記イメージ表示範囲情報格納部１３のイメージ拡大範囲情報に基づいて、選択された設問番号の解答欄全体の拡大イメージデータを作成する。そして、イメージデータ表示部１９が当該拡大イメージデータを確認修正ウィンドウ画面内の選択設問解答欄イメージ表示エリア２００に表示する（ステップＳＴ５）。
【００２７】
また、この拡大イメージデータの表示処理と並行して、前記認識結果データ処理部２０が、選択された設問番号に基づいて前記コードデータ格納部１２内から当該設問番号におけるコードデータを取得し、さらにこのコードデータに基づいて前記認識結果表示位置情報格納部１４から当該コードデータに対応する認識結果データと認識結果表示位置データとを取得し、この認識結果データと認識結果表示位置データとを認識結果データ表示部２１に転送する。そして認識結果データ表示部２１が、転送された認識結果データおよび認識結果表示位置データに基づいて、確認修正ウィンドウ画面内の選択設問解答欄イメージ表示エリア２００に、認識結果マーク３００を表示する（ステップＳＴ５）。
【００２８】
ここで、認識結果マーク３００の表示態様を具体的に示すと、図８〜１０のように認識結果マーク３００は表示される。図８は選択された設問における認識結果が「３」である場合の表示態様であり、図９は認識結果が「０」である場合、即ち無解答と認識した場合の表示態様であり、図１０は選択された設問における認識結果が「９」である場合、即ち複数解答と認識した場合の表示態様である。以上のように、マークの認識結果が正確に行われている場合には、拡大イメージデータにおけるマークの塗りつぶし部分と認識結果マーク３００とが上下に並んだ状態となる。また、無解答や複数解答の場合には、拡大イメージデータにおける設問番号欄と認識結果マーク３００とが上下に並んだ状態となる。
【００２９】
こうして選択設問解答欄イメージ表示エリア２００に選択された設問番号の解答欄全体の拡大イメージデータと認識結果マーク３００とが表示された状態で、オペレーターはマークの認識状況の確認を行う（ステップＳＴ６）。このときオペレーターは、拡大イメージデータにおけるマークの塗りつぶし部分と認識結果マーク３００とが上下に並んでいると視認した場合には、マークが正確に認識されていると確認できるので、次に確認修正を行う設問番号を選択し、ステップＳＴ４以降の処理を繰り返し行う。また、認識結果マーク３００が設問番号欄の上側に位置していると視認した場合には、無解答や複数解答などのように正確に認識されていない可能性があると確認できるので、認識結果の修正処理を行う（ステップＳＴ７）。
【００３０】
ここで、この認識結果の修正処理は、全設問認識結果表示エリア１００の該当する設問の認識結果欄に修正すべき数字を入力することによって行われる。例えば、「４」という認識結果を「２」に修正する場合には、修正したい「４」の箇所を選択し「２」を入力することで修正処理が完了する。
【００３１】
尚、上述の拡大イメージデータにより確認されるマークの状況と認識結果とが一致していない場合とは、例えば、消しゴムのカスや消し残しによる汚れをマーク有りと認識することで複数解答と認識された場合などが挙げられる。
【００３２】
こうして修正処理が完了した後、全設問について確認修正処理が行われるまでステップＳＴ４以降の処理が行われ、この確認修正対象マークシートについて全設問の確認修正が終了したら、次の確認修正対象マークシートについてステップＳＴ１以降の処理が行われる。こうして全てのマークシートについて確認修正処理を行ったら本システム１０による全処理工程が終了となる（ステップＳＴ８，ＳＴ９）。
【００３３】
以上のように本システム１０によれば、マークシートの全設問の画像が表示された状態で全設問について確認処理を行わずにすみ、また、拡大イメージデータにおけるマークの塗りつぶし部分と認識結果マーク３００とが上下に並んでいるか否かを視認することで容易に確認処理ができるので、簡単かつ高精度な確認処理が行え、確認修正処理の効率化が図れる。
【００３４】
［他の実施形態］
尚、上記実施形態では、確認修正を行う設問の設問番号を１問毎に選択することで確認処理を行っているが、第１問目から最終設問までのそれぞれの拡大イメージデータおよび認識結果マーク３００を確認修正ウィンドウ画面の選択設問解答欄イメージ表示エリア２００内にて連続的に順次表示させるためのスクロールボタン４００を、例えば図１１のように、確認修正ウィンドウ画面内の任意位置に設けることで、さらに全設問の確認修正処理を効率良く行うことができる。
【００３５】
オペレーターは、図１１の確認修正ウィンドウ画面において、カーソルを下向き矢印のスクロールボタン４００上に合わせてマウスをクリックして下向き矢印スクロールボタン４００を押下し続けることにより、選択設問解答欄イメージ表示エリア２００内で第１問目から最終設問までのそれぞれの拡大イメージデータおよび認識結果マーク３００を連続的に順次表示させることができるため、オペレーターは選択設問解答欄イメージ表示エリア２００内を見て、拡大イメージデータにおけるマークの塗りつぶし部分と認識結果マーク３００との位置が上下に並んだ状態か否かを順次判断するだけで、認識結果の良否を確認することができる。
【００３６】
具体的には、拡大イメージデータおよび認識結果マーク３００が次々と連続表示されている際に、拡大イメージデータにおけるマークの塗りつぶし部分と認識結果マーク３００とが上下に並んだ状態をオペレーターが視認した場合には、マークの認識が正確に行われていることが確認できるので、下向き矢印スクロールボタン４００を押下し続けて、連続表示を継続させておけばよい。また、オペレーターが拡大イメージデータにおけるマークの塗りつぶし部分と認識結果マーク３００とが上下に並んでいない状態を視認した場合（拡大イメージデータにおける設問番号欄の上側に認識結果マーク３００が存在すると視認した場合）には、下向き矢印スクロールボタン４００を押下する等してその設問番号の拡大イメージデータと認識結果マーク３００とを表示させ、認識結果を確認後に上述のような修正処理を行えばよい。
【００３７】
以上のように確認修正ウィンドウ画面内にスクロールボタン４００を設けることによって、オペレーターは全設問について確認修正処理を行う場合にも、一層効率良く行うことができる。尚、上述のように拡大イメージデータと認識結果マーク３００とを連続表示させることができるのであれば、図１１のようなスクロールボタン４００に限らず、スクロールバー等でもよいことはいうまでもない。
【００３８】
【発明の効果】
本発明によれば、オペレーターは、確認修正対象の設問について拡大イメージデータにおけるマークの塗りつぶし部分と認識結果マークとの位置関係を確認することで、マークの認識結果の良否を簡単に且つ正確に視認することができるので、マークシートの認識結果の確認および修正を効率良く且つ精度良く行うことができる。
【図面の簡単な説明】
【図１】本発明の一実施形態であるマークシート認識結果の確認修正システムの構成を示す図である。
【図２】図１の確認修正システムのコードデータ格納部に格納されるデータを示す図である。
【図３】図１の確認修正システムのイメージ表示範囲情報格納部に格納されるデータを示す図である。
【図４】図１の確認修正システムの認識結果表示位置情報格納部に格納されるデータを示す図である。
【図５】図１の表示装置に表示される一覧表示ウィンドウ画面の一例を示す図である。
【図６】図１の表示装置に表示される確認修正ウィンドウ画面の一例を示す図である。
【図７】第一実施形態の確認修正システムにより行われるマークシート認識結果の確認修正処理手順を示すフローチャートである。
【図８】図１の確認修正システムにより表示される認識結果マークの表示態様の一例を示す図である。
【図９】図１の確認修正システムにより表示される認識結果マークの表示態様の一例を示す図である。
【図１０】図１の確認修正システムにより表示される認識結果マークの表示態様の一例を示す図である。
【図１１】他の実施形態において表示装置に表示される確認修正ウィンドウ画面の一例を示す図である。
【符号の説明】
１０・・・確認修正システム、１１…イメージデータ格納部、１２…コードデータ格納部、１３…イメージ表示範囲情報格納部、１４…認識結果表示位置情報格納部、１５…表示ウィンドウデータ格納部、１６…確認修正対象データ処理部、１７…ウィンドウ画面表示部、１８…イメージデータ処理部、１９…イメージデータ表示部、２０…認識結果データ処理部、２１…認識結果データ表示部、３０…ＯＣＲ装置、４０…入力装置、５０…表示装置、１００…全設問認識結果表示エリア、２００…選択設問解答欄イメージ表示エリア、３００…認識結果マーク、４００…スクロールボタン。
【図１】
2005032003.tif 000003
【図２】
2005032003.tif 000004
【図３】
2005032003.tif 000005
【図４】
2005032003.tif 000006
【図５】
2005032003.tif 000007
【図６】
2005032003.tif 000008
【図７】
2005032003.tif 000009
【図８】
2005032003.tif 000010
【図９】
2005032003.tif 000011
【図１０】
2005032003.tif 000012
【図１１】
2005032003.tif 000013